(57)【要約】  本発明は、電動歯ブラシに関する。この場合、本発明は、一方で、アタッチメント部品、特にアタッチメントブラシを連結するための連結装置と、駆動モータによって駆動可能な駆動系部品、特にアタッチメント部品を駆動するためのドライブシャフトと、を備える歯ブラシハンドルに関する。他方で、本発明は、特に歯ブラシハンドルのネック上に取付け可能なアタッチメントブラシを形成することのできる前記のアタッチメント部品に関する。この歯ブラシハンドルは、駆動系部品の動きを拘束、ブロック及び／又は制動するための、解除可能な拘束手段を有している。有利であるのは、この拘束手段がアタッチメントブラシを取り付けると同時に解除され、アタッチメントブラシを取り外すと拘束状態になることである。駆動系部品が拘束される場合には、駆動モータが自動的にオフになる。
2010531177.tif 000002
【特許請求の範囲】
【請求項１】
アタッチメントブラシ（３）又はそれに類するようなアタッチメント部品を連結するための連結装置（１０）と、アタッチメント部品を駆動するための、駆動モータによって駆動可能な駆動系部品（５）と、を有する、電動歯ブラシ（１）の歯ブラシハンドルであって、前記駆動系部品（５）を拘束、ブロック及び／又は制動するための、解除可能な拘束手段が設けられていることを特徴とする、歯ブラシハンドル。
【請求項２】
前記拘束手段の係合位置に応じて、及び／又は、前記駆動系部品（５）の拘束時に、前記駆動モータをオフにするための、好ましくは電子式スイッチオフ装置（３３）が設けられている、請求項１に記載の歯ブラシハンドル。
【請求項３】
前記スイッチオフ装置（３３）が、モータ電流を検知する検知手段（３２）と、規定のモータ電流を超過した場合に、前記駆動モータをオフにするスイッチオフ手段と、を有する、請求項２に記載の歯ブラシハンドル。
【請求項４】
前記連結装置（１０）の位置に応じて、前記拘束段（２３）の前記係合位置を制御するための制御装置（２２）が前記拘束手段（２３）に組み込まれており、有利な場合には、前記制御装置が、前記アタッチメント部品を連結すると、前記拘束段（２３）が解除され、前記アタッチメント部品を取り外すと拘束位置になるように形成されている、請求項１〜３のいずれか一項に記載の歯ブラシハンドル。
【請求項５】
前記拘束手段（２３）が、拘束される前記駆動系部品（５）と係合するための係合部（５２）を備えた、移動可能に設けられた拘束部品（１３）を有する、請求項１〜４のいずれか一項に記載の歯ブラシハンドル。
【請求項６】
前記係合部（５２）が前記拘束部品（１３）と固定接続されており、好ましくは一体形成で前記拘束部品（１３）に形成されている、請求項５に記載の歯ブラシハンドル。
【請求項７】
前記拘束部品（１３）が、前記駆動系部品（５）と係合することができ、前記駆動系部品（５）に形状の適合している係合面を有する、請求項５及び６のいずれか一項に記載の歯ブラシハンドル。
【請求項８】
外面側の平坦部が、前記拘束部品（３）に設けられており、該平坦部が、同様に外面側に設けられている、前記ハンドル（２）の前記ドライブシャフトの平坦部に向かって移動可能である、請求項７に記載の歯ブラシハンドル。
【請求項９】
前記拘束部品（１３）が、ハンドルの長手方向に軸方向へ移動可能である、請求項５〜８のいずれか一項に記載の歯ブラシハンドル。
【請求項１０】
前記拘束部品（１３）の軸方向の動きが、前記ハンドルの長手方向（１２）に対して横方向に、前記係合部（５２）の横方向の動きを生じるように、前記拘束部品が設けられ及び／又は形成されている、請求項９に記載の歯ブラシハンドル。
【請求項１１】
前記ハンドルネック（４）と前記係合部（５２）との間に、スプレッド機構（１４）が設けられおり、該スプレッド機構によって、前記拘束部品（１３）が軸方向に動く場合に、前記係合部（５２）が、前記ハンドルの長手方向（１２）に対して横方向へ、前記駆動系部品（５）に向かって内側に広がることができる、請求項１０に記載の歯ブラシハンドル。
【請求項１２】
前記スプレッド機構（１４）が、前記拘束部品（１３）の軸方向の動きなしに該拘束部品（１３）の横方向の動きを阻止する、及び／又は、その逆を行う強制ガイドとして形成されている、請求項１１に記載の歯ブラシハンドル。
【請求項１３】
前記スプレッド機構（１４）が、前記拘束部品（１３）のためのスライドガイド、好ましくは、リンクガイド（３４）を有し、該リンクガイドが、前記ハンドルの長手方向（１２）に対して鋭角に傾けられたガイド部分（３９）を有している、請求項１１及び１２のいずれか一項に記載の歯ブラシハンドル。
【請求項１４】
前記スライドガイドが、前記ハンドルの長手方向（１２）に対して、異なる大きさで傾けられた複数のガイド部分（３７、３８、３９）を有し、好ましくは、２つの前記ガイド端部分（３７、３８）が、その間にあるガイド中央部分（３９）よりも小さく傾けられている、請求項１３に記載の歯ブラシハンドル。
【請求項１５】
前記スプレッド機構（１４）が、少なくとも１つのロッド（１５）を有し、該ロッド（１５）の一方の端部が、旋回可能に前記ハンドルネック（４）に連結されており、他方の端部が、前記拘束部品（１３）に連結されている、請求項１１又は１２に記載の歯ブラシハンドル。
【請求項１６】
前記拘束部品（１３）が、少なくとも２つの、互いにほぼ平行に配向された前記ロッド（１５、１６）を有する平行四辺形のロッドガイド（１７）によって、前記ハンドルネック（４）に連結されている、請求項１５に記載の歯ブラシハンドル。
【請求項１７】
前記拘束部品（１３）が、旋回可能に設けられたカムとして形成されている、請求項５〜１１のいずれか一項に記載の歯ブラシハンドル。
【請求項１８】
前記拘束部品（１３）に、拘束位置へプリテンションをかけるためのプリテンション装置、好ましくはスプリング装置が組み込まれている、請求項１〜１７のいずれか一項に記載の歯ブラシハンドル。
【請求項１９】
前記拘束部品（１３）が、前記ハンドルネック（４）上に前記アタッチメント部品を取り付ける際、該アタッチメント部品上の指定された対応物を捕捉するため、及び前記拘束部品（１３）を解除位置へ軸方向にスライドさせるため、前記アタッチメント部品上の前記対応物に形状及び位置が適合している捕捉部分（１９）を有する、請求項１〜１８のいずれか一項に記載の歯ブラシハンドル。
【請求項２０】
前記捕捉部分（１９）が、前記ハンドルの長手方向（１２）に対して、横方向に延びる突合わせ面（２０）を有する、請求項１９に記載の歯ブラシハンドル。
【請求項２１】
前記ハンドルネック（４）から前記アタッチメント部品を引き抜く際に、前記拘束品（１３）を軸方向に戻すための係合輪郭が、好ましくはドライブ面（２１）の形で、前記拘束部品（１３）に設けられており、前記拘束部品（１３）が、前記ハンドルの長手方向（１２）に対して横方向に、前記ハンドルネック（４）へ向かって内側に動く際に、前記指定された係合輪郭が、前記アタッチメント部品から外れるように寸法を決められている、請求項１〜２０のいずれか一項に記載の歯ブラシハンドル。
【請求項２２】
前記拘束手段（２３）が、前記歯ブラシハンドルの前記ハンドルネック（４）に前記アタッチメント部品（３）を形状及び／又は摩擦によってロックするための連結装置（１０）を形成し、前記駆動系部品（５）からの解除位置において、前記アタッチメント部品（３）を形状及び／又は摩擦によって前記ハンドルネック（４）にロックする、請求項１〜２１のいずれか一項に記載の歯ブラシハンドル。
【請求項２３】
前記拘束手段（２３）の前記拘束部品（１３）が、前記連結装置（１０）の連結部品を形成し、前記アタッチメント部品の対応物に形状の適合するラッチ輪郭を備える係合部（１１）、好ましくは半径方向に突き出ているラッチ（１８）を有している、請求項２２に記載の歯ブラシハンドル。
【請求項２４】
前記拘束手段（２３）が、前記駆動系部品（５）からの解除位置において、前記ハンドルネック（４）及び／又はアタッチメント部品に係合するためのラッチ輪郭、好ましくは、半径方向にアンダーカットされたラッチ凹部（５３）を有する、請求項１〜２３のいずれか一項に記載の歯ブラシハンドル。
【請求項２５】
前記連結部品が、好ましくはリブ状のシェル部を形成し、該シェル部は、前記連結装置（１０）の非ロック位置において、前記ハンドルネックの輪郭の一部を形成し、好ましくは、前記ハンドルネックの輪郭をほぼ連続する形で継続している、請求項１〜２４のいずれか一項に記載の歯ブラシハンドル。
【請求項２６】
前記ハンドルネック（４）が、汚れキャッチ穴（４１）を有する、請求項１〜２５のいずれか一項に記載の歯ブラシハンドル。
【請求項２７】
前記汚れキャッチ穴（４１）が、好ましくは縦溝形の細長い穴（４２）の形で、前記アタッチメント部品（３）の合わせ面と係合することのできる合わせ面に形成されている、請求項２６に記載の歯ブラシハンドル。
【請求項２８】
前記ハンドルネック（４）が、前記アタッチメント部品（３）に設けられたラッチエレメント（４３）、特にラッチフック（４４）と係合するための、好ましくは内部にあるように配置されたラッチ輪郭を有する、請求項１〜２７のいずれか一項に記載の歯ブラシハンドル。
【請求項２９】
作業ヘッド（６）と、前記歯ブラシハンドルの前記ハンドルネック（４）上に取付け可能な、前記作業ヘッド（６）に接続された管状の接続部品（７）と、を備えた、請求項１〜２８のいずれか一項に記載の歯ブラシハンドル用アタッチメント部品、特にアタッチメントブラシであって、前記接続部品（７）が、該接続部品（７）を前記ハンドルネック（４）上に取り付ける際、ハンドル側の前記拘束部品（１３）を軸方向に押し戻すための突き合わせ面（２６）を有することを特徴とする、アタッチメント部品。
【請求項３０】
前記接続部品（７）が、前記ハンドルネック（４）上に該接続部品（７）を形状及び／又は摩擦によってロックするための連結部（９）を有し、ハンドル側の前記拘束部品（１３）の係合部が入ることのできる、外側へ向けられたくぼみ（２５）を内部面に有している、請求項２９に記載のアタッチメント部品。
【請求項３１】
前記くぼみ（２５）が、窓形のラッチ凹部を形成している、請求項３０に記載のアタッチメント部品。
【請求項３２】
前記突合わせ面（２６）がアタッチメント部品の長手方向へ、前記くぼみ（２５）に隣接して配置されている、請求項３０及び３１のいずれか一項に記載のアタッチメント部品。
【請求項３３】
前記突合わせ面（２６）が、面一にくぼみのエッジ面に移行している、及び／又は、少なくとも部分的に前記くぼみ（２５）に接するエッジ面を形成する、請求項３２に記載のアタッチメント部品。
【請求項３４】
前記ハンドルネック（４）から前記接続部品（７）を取り外す際、ハンドル側の前記拘束部品（１３）を軸方向に駆動するためのドライブ面（２７）が設けられている、請求項２９〜３３のいずれか一項に記載のアタッチメント部品。
【請求項３５】
前記ドライブ面（２７）が、前記アタッチメント部品の長手方向に隣接して、前記くぼみ（２５）に配置されており、特に、前記くぼみ（２５）に接しているくぼみのエッジ面を形成する、請求項３４に記載のアタッチメント部品。
【請求項３６】
前記突合わせ面（２６）及び前記ドライブ面（２７）が、前記くぼみ（２５）の互いに対向するエッジに設けられている、請求項３５に記載のアタッチメント部品。
【請求項３７】
前記接続部品（７）が、前記ハンドルネック（４）及び／又は拘束手段（２３）のラッチ輪郭と係合することのできるラッチエレメント（４３）を有する、請求項２９〜３６のいずれか一項に記載のアタッチメント部品。
【請求項３８】
前記ラッチエレメント（４３）が、前記歯ブラシハンドル（２）の前記ハンドルネック（４）に入ることのできるラッチフック（４４）を有する、請求項３７に記載のアタッチメント部品。
【請求項３９】
前記ラッチエレメント（４３）が、前記ハンドルネック（４）の外面上をスライドすることのできるラッチフック（４４）を有する、請求項３７又は３８のいずれか一項に記載のアタッチメント部品。
【請求項４０】
前記ラッチエレメント（４３）が、前記歯ブラシハンドルの前記拘束手段（２３）の操作部を形成する、請求項３７〜３９のいずれか一項に記載のアタッチメント部品。
【請求項４１】
前記ラッチエレメント（４３）が、前記歯ブラシハンドルネック（４）からアタッチメント部品を軸方向に引き抜く際、ハンドル側の前記拘束部品（１３）を軸方向に押し戻すための前記突き合わせ面（２６）を有する、及び／又は、ハンドル側の前記拘束部品（１３）を軸方向に駆動するための前記ドライブ面（２７）を有する、請求項４０に記載のアタッチメント部品。
【請求項４２】
前記ラッチエレメント（４３）が、前記ラッチメントの長手方向に対して、横方向に動くスプリングクリップを形成している、請求項２９〜４１のいずれか一項に記載のアタッチメント部品。
【請求項４３】
前記ラッチエレメント（４３）が、好ましくは、ハンドル側の前記拘束部品（１３）に、位置及び／又は形状の適合しているラッチ解除傾斜（４５）の形で、ラッチ解除輪郭を有している、請求項２９〜４２のいずれか一項に記載のアタッチメント部品。
【請求項４４】
前記拘束部品（１３）が前記駆動系部品（５）からの解除位置にある場合、前記歯ブラシハンドルの該拘束部品（１３）と係合するためのラッチ輪郭、好ましくは、半径方向にアンダーカットされた対向する１組のラッチ凸部（５４）を、前記接続部品（７）が有している、請求項２９〜４３のいずれか一項に記載のアタッチメント部品。
【請求項４５】
前記接続部品（７）が汚れキャッチ穴を有している、請求項２９〜４３のいずれか一項に記載のアタッチメント部品。
【請求項４６】
前記汚れキャッチ穴が、好ましくは縦溝形の細長い穴（４２）の形で、前記歯ブラシハンドルネック（４）の合わせ面と係合することのできる合わせ面に形成されている、請求項４５に記載のアタッチメント部品。
【請求項４７】
前記接続部品（７）の前記連結部（９）が、該接続部品（７）とは別の連結インサート、例えば、連結リング又は連結スリーブを有する、請求項２９〜４６のいずれか一項に記載のアタッチメント部品。
【請求項４８】
前記連結部（９）が、一体形成で前記接続部品（７）に形成されている、請求項２９〜４６のいずれか一項に記載のアタッチメント部品。
【請求項４９】
請求項１〜２８のいずれか一項に記載の歯ブラシハンドルと、請求項２９〜４８のいずれか一項に記載のアタッチメント部品と、を備えた歯ブラシ。
【発明の詳細な説明】
【技術分野】
【０００１】
本発明は、電動歯ブラシに関する。この場合、本発明は、一方で、アタッチメント部品、特にアタッチメントブラシを連結するための連結装置と、駆動モータによって駆動可能な駆動系部品、特に、アタッチメント部品を駆動するためのドライブシャフトとを備える歯ブラシハンドルに関する。他方で、本発明は、特に、歯ブラシのハンドルネック上に取付け可能なアタッチメントブラシを形成することのできる前記のアタッチメント部品に関する。
【背景技術】
【０００２】
ＥＰ  ０  ５００  ５３７  Ｂ１から、アタッチメントブラシが、一方で、前面に突出している、歯ブラシハンドルのシャフト形ハンドルネックと接続されており、他方では、そこから突出しているドライブシャフトと接続されている電動歯ブラシが周知である。この場合、ハンドルネックは、シリンダー状の円錐台形のように形成されているため、ほぼ管状のアタッチメント接続部品を、締め付けられた状態で正確にハンドルネック上に取り付けることができる。
【０００３】
このような取付け可能なアタッチメントブラシの場合、歯ブラシのモータの振動及び歯磨きの力によって、場合によっては、アタッチメント部品の固定が不適切に緩み、それによって、駆動運動の伝達に悪影響が及び、駆動系の摩耗が増加する。また、完全に滑り落ちてしまうと、更に前面に突出しているドライブシャフトによって怪我をする危険がある。こうしたことを防止するため、これまで、ハンドルネックとアタッチメントブラシとの間の嵌合いは、かなり強い力を入れないと、アタッチメントブラシを取り付け又は再取り外しできないように強く設定されてきた。これに対して、アタッチメントブラシと歯ブラシハンドルとの間で、係合による接続手段を用いる場合、係合を簡単にするための必要な許容差により、がたつきのない接続及び接続の適合精度にしばしば悪影響が生じる。更に、アタッチメントブラシと歯ブラシハンドルとの間の接続がいったん緩んでしまうと、前述のような駆動系における摩耗の問題及び怪我の危険がある。
【０００４】
他方では、この種類の電動歯ブラシの場合、不必要にスイッチがオンになるという問題が生じることもある。特に、荷物をぎっしりと積み込んだ旅行カバンに入れて持ち運ぶ際には、周辺にある荷物によってスイッチに圧力がかかり、モータのスイッチが入ってしまうことがある。これに関連しては、例えば、スライドできるロックバーを用いてオフ位置に固定することのできるロック可能なスイッチボタンが周知である。しかしながら、このロックバーもカバンの中の圧力によって外され、スイッチが入るおそれがある。このことによってバッテリの放電が生じるが、更に、ブラシヘッド又はアタッチメントブラシが引き抜かれている場合には、突出しているシャフトが荷物と擦れて、ブラシ又は周辺の荷物が破損してしまう可能性もある。
【先行技術文献】
【特許文献】
【０００５】
【特許文献１】ＥＰ  ０  ５００  ５３７  Ｂ１
【発明の概要】
【発明が解決しようとする課題】
【０００６】
このことから、本発明は、改良された歯ブラシ、改良された歯ブラシハンドル及び／又はそのような歯ブラシハンドル用の改良されたアタッチメント部品を提供し、従来技術の欠点を回避して、有利な方法で従来技術を発展させるという課題に基づいている。アタッチメント部品と歯ブラシハンドルとの間の接続は、簡単かつわずかな力で操作できることが必要であり、この接続がアタッチメント部品を歯ブラシのハンドルにしっかりと保持し、歯ブラシの駆動系が不必要にスタートすることを防ぎ、歯ブラシハンドルの駆動系から生じる怪我の危険を排除することが好ましい。
【課題を解決するための手段】
【０００７】
本発明に基づき、前述の課題は、請求項１による歯ブラシハンドル、請求項２９によるそのような歯ブラシハンドル用アタッチメント部品及び請求項４９による歯ブラシによって解決される。本発明の好ましい実施形態は、従属請求項の対象である。
【０００８】
すなわち、駆動系部品、特に歯ブラシハンドルのドライブシャフトをブロック又は拘束可能にすることによって、駆動モータのスイッチが不必要にオンになってしまった場合も、駆動系の危険な動きが生じないことが提案される。この歯ブラシハンドルは、駆動系部品の動きを拘束、ブロック及び／又は制動するための、解除可能な拘束手段を有している。
【０００９】
この場合、有利であるのは、この拘束手段が、アタッチメント部品を歯ブラシハンドル上に取り付けるか、又はハンドルから取り外すと同時に作動するように形成されていること、特に、アタッチメントブラシを取り付けたときに解除され、取り外すと拘束状態になるように形成されていることである。
【００１０】
このとき、上記の拘束手段が、駆動モータの電子式スイッチオフと相互作用できることは有利である。特に、ドライブシャフトが拘束された場合に駆動モータをオフにする、好ましくは電子式のスイッチオフ装置を装備することができる。歯ブラシのドライブシャフトが自由に動けないことを電子式スイッチオフ装置が検知すると、直ちに駆動モータがオフになり、モータ及び特にバッテリも保護される。この場合、ドライブシャフトの拘束状況の検知は、基本的に様々な方法で行うことができる。例えば、前記の拘束部品の位置を検知するポジションセンサーを装備することができるであろう。この部品が拘束位置にある場合、駆動モータはスイッチオフにされる。有利な実施形態では、モータのスイッチオフをモータの消費電力に基づいて行うことができる。特に、前記のスイッチオフ装置は、モータ電流を検知する検知手段を有し、モータ電流が規定のモータ電流レベルを超えると、駆動モータのスイッチをオフにすることができる。このことは、ドライブシャフトがブロックされているか、又は拘束されている場合に生じる。短時間のピーク電流又はピーク電圧で、不必要にスイッチがオフになるのを防止するため、スイッチオフ装置は、モータ電流が一定時間以上（例えば、５秒以上）、規定の限界値を超えた場合に、初めてモータのスイッチがオフにされるように形成することができる。
【００１１】
アタッチメント部品が引き抜かれている場合に、駆動モータの電子式スイッチオフと組み合わせて、歯ブラシハンドルのドライブシャフトをこのように機械的に拘束することにより、バッテリの保護とともに、極めて簡単に旅行中の安全性を確保することができる。歯ブラシハンドルが不必要にオンになることを防止するためには、歯ブラシハンドルからアタッチメント部品を引き抜くだけでよい。たとえ、歯ブラシのハンドルがカバンの中に入れられたとしても、歯ブラシのバッテリが、不必要に放電することはない。
【００１２】
アタッチメント部品の取付け及び取外しの際に、拘束手段を自動的に作動させるため、連結装置の位置に応じて、拘束手段の拘束位置を制御するための制御装置が拘束手段に組み込まれており、有利な場合には、この制御装置が、アタッチメント部品を連結すると拘束手段が解除になり、アタッチメント部品を取り外すと拘束手段が拘束位置になるように形成されている。このことによって、アタッチメント部品が正しくハンドルに取り付けられていない場合、歯ブラシのドライブが動くのを防止することができるため、特に、回転しているドライブシャフトによって生じる怪我の危険を阻止することができる。この場合、前記の拘束手段は、様々に形成することが可能であり、基本的に、制御技術又はソフトウエア技術によって拘束手段を形成することが考えられるであろう。代替又は追加の方法として、拘束手段を機械的に形成することも可能である。この場合、有利であるのは、この拘束手段が、拘束部品に取り付けられた係合面を有することができることであり、拘束部品がロック位置にない場合には、この係合面がハンドルのドライブシャフトと係合し、特にドライブシャフトに向かって押し付けられる。特に、拘束手段は、ドライブシャフト及び前記のハンドル側拘束部品に取り付けられている、重なり合って移動可能な平坦部を有することができる。拘束位置での保持をより良く行うために、この平坦部は補助的に凹凸をつけて形成され、例えば、わずかにＶ字形で、補足的に軽く膨らみをつけて形成することができる。拘束部品の平坦部が、ドライブシャフトの対応する平坦部に向かって押されると、ドライブシャフトは回転することができなくなる。有利であるのは、前記の平坦部が、外面側に配置されていることである。連結状態に応じて、拘束手段を作動するための制御装置は、基本的に様々な方法で実施することができる。
【００１３】
有利であるのは、形状及び／又は摩擦によるロック、拘束又は制動を行うためにドライブシャフトと係合することのできる、少なくとも１つの係合部を備える拘束部品を、ハンドルのハンドルネックに取り付けられることである。この拘束部品は、ハンドルの長手方向に移動可能であるのが有利である。この拘束部品は、好ましくはスプリングエレメントによって、歯ブラシハンドルから軸方向に押し外されるため、アタッチメント部品が取り付けられていない場合には、拘束部品がハンドルに対して一定の位置にあり、この位置においては、アタッチメント部品をスムーズに取り付けることができ、ドライブシャフトはブロック又は拘束されている。ハンドルネックは、ハンドルのハウジングと一体形成されているのが好ましい。
【００１４】
有利であるのは、ハンドルネックの拘束手段が、ハンドルの長手方向の軸方向の動き及びハンドルの長手方向に対して横方向の動きを使って働き、ハンドルの長手方向である軸方向の動きが拘束手段の作動に作用し、横方向の動きがロックに作用する。有利な場合には、歯ブラシハンドルが、ハンドルの長手方向である軸方向に動くことのできる拘束部品を有し、拘束部品の軸方向の動きが、ハンドルの長手方向に対して横方向の、拘束手段の係合部の横方向の動きを生じるように、この拘束部品が設けられ及び／又は形成されている。
【００１５】
軸方向の作動動作は、この場合、アタッチメント部品のハンドルネックへの取付け又はハンドルネックからの取外し時に、アタッチメント部品によって生じるのが有利である。すなわち、アタッチメント部品の取付け又は取外しは、ハンドル側拘束手段の横方向のロック動作又はロック解除動作を生じさせるために利用することができる。もう１つの視点によれば、このアタッチメント部品は、この場合、ハンドルと接続可能なアタッチメント部品の接続部品が、これをハンドルネックに取り付けた場合に、ハンドル側の拘束部品を軸方向に押し戻すための突合わせ面を有することによって特徴づけられている。アタッチメント部品の前記の突合わせ面は、この場合、形状及び位置に関して、アタッチメント部品と歯ブラシハンドルとが互いに重なり合う際に、この突合わせ面が、歯ブラシハンドルの拘束部品を捕え、歯ブラシハンドルのグリップ部の方へ軸方向にスライドして戻るように、ハンドル側の拘束部品に適合されているのが有利である。
【００１６】
ロックに働く、拘束手段の係合部の横方向の動きを生じさせるため、好ましくは、ハンドルネックと歯ブラシハンドルとの間にスプレッド機構が装備され、これによって、前記の拘束部品が軸方向に動く場合に、前記の係合部がグリップ部から離れ、ハンドルの長手方向に対して横方向へ、内部に押されるか、又は引かれる。有利な場合には、ここで、拘束部品自体が、該当する軸方向の動きの際に、前記のスプレッド機構によって内部に広げられることから、前記の係合部を直接拘束部品に設けることができ、好ましくは拘束部品に一体形成することができる。
【００１７】
前述のスプレッド機構は、この場合、基本的に様々に形成することができる。例えば、横方向の動きは、傾斜面ペアによって生じさせることができる。例えば、拘束部品が、ハンドルネックに設けられた傾斜面上に突きあたることにより、スライドして戻る場合に、拘束部品がグリップ部から離れ、内部に押される。
【００１８】
このスプレッド機構は、拘束部品の軸方向の動きなしに拘束部品の横方向の動きを阻止する、及び／又は、その逆を行う強制ガイドとして形成されているのが好ましい。したがって、このスプレッド機構は、該当する軸方向の動きにおける拘束部品の外部への動きばかりでなく、逆の軸方向の動きにおける内部への動きも確実に行われるように形成されている。
【００１９】
拘束部品は、少なくとも１つのロッドを有するロッドガイドによりハンドルネックに設けられることができ、このロッドは、有利な実施形態において、ロッドの一方の端部が旋回可能にハンドルネックに取り付けられ、もう一方の端部が旋回可能に拘束部品に取り付けられている。この場合、旋回軸はハンドルの長手方向に対して横方向に配向されるのが有利である。
【００２０】
基本的に、拘束部品が、係合部の範囲内で適切に広がるためには、係合部の範囲にあるロッドの１つとだけ接続すれば十分である。その際、係合部から離れた部分にある拘束部品が、ハンドルネックで長手方向にずれて、ガイドされることが可能であれば、全体としてダブルクランクの形態が生じるであろう。しかしながら、好ましくは、この拘束部品が、少なくとも２つの、互いにほぼ平行に配向されたロッドを備えた平行四辺形のロッドガイドによって、ハンドルネックに接続されており、そのため、拘束部品は、ロッドによって設定された動作軌道上で、実質的に回転コンポーネントなしに平行に移動することが可能となる。この場合、平行四辺形のロッドガイドは、拘束部品がハンドルの長手方向へ、軸方向に動く際、これに対して横方向の、横方向動作コンポーネントが形成されるようになっている。
【００２１】
このような旋回ロッドガイドの代替として、スライドガイドを用いて拘束部品を広げることができる。この場合に有利であるのは、このスライドガイドによって、拘束部品の軸方向の動きが強制的に半径方向の動きに転換されるように、拘束部品が強制的にガイドされることである。その際、強制ガイドは両方の方向にあるのが有利である。すなわち、拘束部品が一方の方向に動く場合、拘束部品は外部に押され、その反対方向に動く場合は内部に押される。
【００２２】
ここでは、スライドガイドを、例えば溝ガイドの形で、好ましくは燕尾形の溝ガイドに形成することができ、有利であるのは、この溝ガイドが、拘束部品を対向する側へスライドしてガイドすることである。
【００２３】
前記のスライドガイドは、リンクガイドとして形成することが有利であり、このリンクガイドが、１つのリンクガイドと、ハンドルネックに取り付けられた、拘束部品の中に係合する少なくとも１つのガイド突起とを拘束部品の中に有しているのが好ましい。拘束部品は、この場合、いわゆるスライディングブロックを形成しており、このスライディングブロックは、リンクガイドを介して所定の経路に沿って広がることができる。代替又は追加の方法として、ハンドルネックにガイドリンクを設けることも可能であり、拘束部品のガイド突出部がこのガイドリンクの中に係合する。
【００２４】
スプレッド運動の強さ及び高さは、この場合、リンクガイドの勾配によって制御することができる。ここで有利であるのは、リンクガイドが、異なる勾配をもつ複数のガイド部分を含んでいることであり、それによって、拘束部品の軸方向の位置に応じて、様々なスプレッド運動が行われる。特に、このリンクガイドは、ハンドルの長手方向に対して平行な、僅かしか勾配のない開始及び終端部分を有しているか、又は、有利であるのは、実質的に勾配なく変化する開始及び終端部分を有していることであり、開始部分と終端部分との間には、大きな勾配のあるガイド中央部分が設けられている。このことによって、終端部分においては、弱い傾きしかないか、又は全く傾いていないガイド部分によって、実質的に軸方向の力のかからない状態で、拘束部品がそれぞれの位置に保持されることができるようになる。これに対し、急な傾きのあるガイド中央部分によって、必要なスプレッド運動を実施することができる。このスプレッド運動が終了すると、リンクガイドは、いわゆるバックプレートの上に移動し、このバックプレートによってそれぞれの位置に保持される。必要に応じて、前記の開始及び終端部分は、前記の中央部分に対して僅かに反対方向に傾けられるため、終端位置に入る際に、拘束部品が僅かに圧迫され、拘束部品は確実にそのときの終端位置にとどまる。
【００２５】
スライドガイドの中で動くことのできる拘束部品の代替として、旋回可能に設けられた拘束部品を装備することもでき、この拘束部品は、回転運動によって、軸方向の調整動作コンポーネントと横方向の動作コンポーネントとを結びつける。特に、拘束部品は、旋回可能に設けられたカムとして形成することができ、このカムは、好ましくは、歯ブラシの長手方向に対して横方向に延びる旋回軸を中心に旋回できるように、ハンドルネックに設けられている。その際、前記のカムは、その拘束位置の中へ回転してドライブシャフトと係合し、また、逆方向へ回転して前記のドライブシャフトを解放する。
【００２６】
有利であるのは、拘束手段が、アタッチメント部品をハンドルネックに形状及び／又は摩擦によってロックするための連結装置を同時に形成していることである。拘束部品が同時に、ハンドルの長手方向及び横方向への動きによって、ハンドルネックのアタッチメント接続部品と係合することのできる連結部品を形成することによって、この二重機能を達成できるのは有利である。この場合、特に、ドライブシャフトから外された拘束部品の位置は、同時に、連結部品のロック位置を形成することができる。すなわち、拘束部品は、ドライブシャフトから外された位置において、アタッチメント部品をロックする。
【００２７】
この場合、特に、拘束部品は、半径方向の外部側に、例えば、係合凸部の形で、係合部を有することができ、この係合凸部は、接続部品の内部面又はその中にはめ込まれているアタッチメント連結部品の内部面に設けられている、外側に向けられたくぼみの中に入ることができる。代替又は追加の方法として、拘束部品とアタッチメント部品との間に、スプリングキャッチを設けることもできる。更に代替又は追加の方法として、例えば、拘束部品の外側がアタッチメント部品の内部面に対して圧着されることによって、拘束部品とアタッチメント部品との間に、摩擦によるロックを備えることができる。
【００２８】
拘束手段を作動するのに、ハンドルネック上にアタッチメント部品を取り付ける軸方向の動作を利用することができるように、ハンドル側の拘束部品に捕捉部分が設けられている。アタッチメント部品をハンドルネック上に取り付ける際、この捕捉部分が、アタッチメント部品の接続部品に設けられている突合わせ面を捕捉することによって、アタッチメント部品がハンドルネックに取り付けられる場合に、この突合わせ面が、捕捉部分及びそれに伴って拘束部品を歯ブラシハンドルのグリップ部に向かって軸方向に動かす。特に、ハンドル側の拘束部品及びアタッチメント部品の接続部品に、ハンドルの長手方向又はアタッチメント部品の長手方向に対して横方向に延びる突合わせ面ペアを設けることができる。この突合わせ面ペアは、位置及び方向に関して、ハンドルネック上にアタッチメント部品を取り付ける際に、自動的に係合し、ハンドル側拘束部品が軸方向へ適切にスライドするように、相互に合わせられている。有利であるのは、その際、相互に捕捉し合う突合わせ面によって、ハンドル側拘束部品のための軸方向の調整動作が削られるだけでなく、そこで設定されているハンドル側拘束部品の横方向の動きも可能であるように設定されていることである。特に、ハンドル側の拘束部品又はその突合わせ面は、アタッチメント部品側の突合わせ面上をハンドルの長手方向に対して横方向へ滑ることができる。拘束部品の軸方向の調整動作に働く、ハンドル及びアタッチメント部品の互いに捕捉し合う部分は、いわゆる摺動面ペアを形成し、これが、アタッチメント部品を軸方向に取り付ける際に、相互に滑り合う。
【００２９】
逆に、アタッチメント部品を歯ブラシのハンドルから引き抜く場合、拘束部品を自動的に外し、これを軸方向に動かすため、アタッチメント部品及びハンドル側の拘束部品にはドライブ面ペアが設けられており、有利であるのは、このドライブ面が、軸方向に対して横に延び、前述した方法で摺動面ペアを形成して、ハンドル又はアタッチメント部品の長手方向に対する横方向への滑りと、それによって、ハンドルの長手方向に対する横方向への拘束部品のロック解除動作とを可能にすることである。この場合、両方のドライブ面は、拘束部品が拘束位置にない場合には、互いに重なり合って接触しているが、拘束部品が拘束位置にある場合には、横方向に互いにずれているように、横方向、すなわちハンドル又はアタッチメント部品の長手方向に対して横方向に寸法が決められ、互いに合わせられている。言いかえると、前記のドライブ面は、アタッチメント部品を引き抜く際に、遅くとも、ハンドル側の拘束部品の軸方向の動きの終わり近くで係合が外れるため、アタッチメント部品を完全に引き抜くことが可能となる。
【００３０】
アタッチメント部品側の突合わせ面が、この場合、直接ハンドル側の拘束部品が進入できるくぼみのエッジに直接隣接して配置されているのは有利である。特に、前記の突合わせ面は、面一にくぼみのエッジ面に移行することができる、及び／又は、少なくとも部分的に、同時にくぼみのエッジ面を形成することができる。有利であるのは、この場合、前記の突合わせ面が、アタッチメント部品の長手方向に見て、アタッチメント部品の管状アタッチメントピース内のもっとも奥にある、くぼみのエッジ部分にあることである。
【００３１】
アタッチメントブラシを引き抜く際に、拘束部品を駆動させるための前記のドライブ面が、一方で、アタッチメント部品に設けられているくぼみのエッジ面によって形成され、他方では、ハンドル側拘束部品のラッチ凸部のエッジ面によって形成されることができるのは有利である。
【００３２】
代替又は追加の方法として、前記の突合わせ面及びドライブ面をラッチエレメントにも設けることができる。このラッチエレメントは、アタッチメント部品をハンドルネックにロックするために設けられ、この場合、前記のラッチエレメントは、前記の突合わせ面及びドライブ面の取付けとは無関係に、有利である。特に、このラッチエレメントはラッチフックを有することができ、アタッチメント部品を歯ブラシのハンドルに取り付ける際に、このラッチフックがハンドルネックの内部に入り込み、そこで完全に取付け位置に達すると、ハンドル側のラッチ輪郭部に係合する。
【００３３】
しかし、このような、ハンドルネックの内部に入るラッチフックの代替としては、ハンドルネックの外部面上を移動し、そこに設けられているラッチ輪郭部及び／又はそこに引き出されている拘束部品に係合するラッチフックもまた有利である。
【００３４】
有利であるのは、この場合、このラッチフックを、アタッチメント部品の長手方向に対して横方向、特に半径方向に動くスプリングクリップの形に形成することができ、その長軸が実質的にアタッチメント部品の長手方向と平行に延びていることである。このスプリングクリップの自由端には、適合するラッチ輪郭部が、例えば突出しているラッチ凸部又はくぼんでいるラッチ凹部の形で取り付けられている。
【００３５】
このようなラッチエレメントは、アタッチメント部品を補助的にハンドルネックに固定する。このことは、拘束手段が、プリテンション装置によってハンドルから軸方向に離れてプリテンションがかけられている場合、特に有利であり、プリテンションの張力をこのロックによって相殺することができる。一方では、ロックを強固にするため、しかし、他方では、アタッチメントブラシを引き抜く際、ロックが簡単に外れるようにするため、ラッチフックなどのラッチエレメントを設けることができ、及び／又は、拘束部品に傾斜面を設けることができる。拘束部品が先に説明したハンドルネックに対する調整動作を行う場合、この傾斜面はＶ字面として働き、アタッチメントブラシを引き抜く際にロックを外す。
【００３６】
ラッチフックの形によるラッチエレメントの代替又は追加の方法として、アタッチメント部品の接続部品内にある窓形のくぼみにラッチ輪郭部を形成することもできる。拘束部品がドライブシャフトから離れる位置に動く場合に、拘束部品がこの輪郭部と係合する。有利であるのは、半径方向にアンダーカットされた、対向する１組のラッチ輪郭部を、特に接続部品にラッチ凸部の形で設けることができることである。拘束部品が前述した方法でアタッチメントブラシの接続部品の窓形のくぼみに入る際に、このラッチ凸部が、拘束部品の側面フランジ、とりわけ、拘束部品の対向する両側面に配置された１組のラッチ凹部の補助的なラッチ輪郭部と係合する。
【００３７】
アタッチメント部品が歯ブラシのハンドルネック上にぴったりと取り付けられ、連結されるのを更に確実にするため、合わせ面が汚れている場合、歯ブラシハンドルのハンドルネック及び／又はアタッチメント部品の接続部品に、汚れキャッチ穴が設けられている。ちり粒子、くずなどは、この穴の中に、いわば逃げ去ることができるため、両方の歯ブラシ部品がセットされる場合に、連結プロセスの妨げにはならない。前記の汚れキャッチ穴は、この場合、特に、ハンドルネック及びアタッチメント部品のシリンダー形又は円錐形の合わせ面、とりわけ、ハンドルネックの外部面及びアタッチメント部品の接続部品の内部面に設けることができる。代替又は追加の方法として、このような汚れキャッチ穴を、歯ブラシのハンドル及び／又はアタッチメント部品の拘束部品に取り付けることができ、及び／又は、そこに設けられている係合部にも取り付けることができ、連結プロセスの妨げにならないようにする。例えば、拡張する拘束部品の外部面及び／又はそれと係合することのできるアタッチメント部品の内部面に、そのような汚れキャッチ穴を備えることができる場合は、拘束部品の拡張が妨げられなくなる。
【００３８】
前記の汚れキャッチ穴は、この場合、様々に形成することができる。有利な実施形態に従って、この汚れキャッチ穴を、表面の細長い穴の形、特に、歯ブラシの長手方向に延び、実質的には溝形のキャッチ穴を備えた、細長い縦穴の形に形成することができる。
【００３９】
請求項にまとめられている概要とは無関係に、副結合の形で又は組み合わせた形で、本発明の対象を形成することのできるこれらの特徴及び更なる特徴は、請求項並びに以下の説明及びそれに属する図にも由来している。
【図面の簡単な説明】
【００４０】
【図１】アタッチメントブラシ及びハンドルの一部を示した、有利な実施形態による電動歯ブラシの部分平面図。
【図２】非拘束位置にある拘束部品を備えた二分割形成のハンドルネックを示した、図１の線Ｃ−Ｃに沿って切断した場合の、歯ブラシの縦断面図。
【図３】ハンドル側拘束部品の平行四辺形のロッドガイドを示した、図１の線Ｂ−Ｂに沿って切断した場合の、歯ブラシの縦断面図。
【図４】ハンドルネック上への取付けの際のアタッチメントブラシ接続部品を示した、これまでの図に示された歯ブラシの部分断面図。この場合、ハンドル側拘束部品は、まだ拘束位置。
【図５】アタッチメントブラシが差し込まれ、拘束部品がアタッチメントブラシ接続部品の突合わせ面に達して作動する直前の位置を示した、図４と類似の、これまでの図に示された歯ブラシの部分断面図。
【図６】アタッチメントブラシを歯ブラシハンドルに更に差し込んだ場合の、ハンドル側拘束部品の更なる位置を示した、図４及び５と類似の縦の部分断面図。
【図７】アタッチメントブラシを歯ブラシハンドルに更に差し込んだ場合の、ハンドル側拘束部品の更なる位置を示した、図４及び５と類似の縦の部分断面図。
【図８】アタッチメントブラシを歯ブラシハンドルに更に差し込んだ場合の、ハンドル側拘束部品の更なる位置を示した、図４及び５と類似の縦の部分断面図。
【図９】アタッチメントブラシが完全に取り付けられた位置において、非拘束状態にあるハンドル側拘束部品の終端位置を示した、図４〜８と類似の縦の部分断面図。
【図１０】拘束部品がリンクガイドにより拡張可能な、更なる有利な実施形態に基づく、図４と類似の歯ブラシによる縦の部分断面図。この場合、外に移動し、非拘束位置にある前記の拘束部品が示されている。
【図１１】図１０の歯ブラシによる縦の部分断面図。この場合、中に移動し、ドライブシャフトを拘束する位置にある拘束部品が示されている。
【図１２】１つのガイドピンだけを用いてリンクの中をガイドされ、スライディングブロックとして形成された拘束部品を装備する、更なる有利な実施形態に基づく、図１０及び図１１と類似の歯ブラシによる縦の部分断面図。この場合、図１２は、ドライブシャフトがロックされている位置を示している。
【図１３】図１２の歯ブラシによる縦の部分断面図。この場合、非拘束位置にあるスライディングブロックが示されている。
【図１４】アタッチメントブラシが、ハンドルネックにロックするスプリングクリップとして形成されているラッチフックを有し、これが同時に、リンクガイドの中でガイドされる拘束部品を作動するためのタペットを形成している、更なる有利な実施形態に基づく、図１０及び１１と類似の歯ブラシによる縦の部分断面図。この場合、ドライブシャフトをロックする位置にある前記の拘束部品及びまだ係合位置にない前記のラッチフックが示されている。
【図１５】図１４の歯ブラシによる縦の部分断面図。この場合、前記のラッチフックが係合し、非拘束位置にある拘束部品が示されている。
【図１６】ラッチフックがハンドルネックの外部周辺上を動き、ハンドルネックの外部周辺で係合している、更なる有利な実施形態による、図１４と類似の歯ブラシによる縦の部分断面図。
【図１７】アタッチメントブラシに設けられたラッチフックが、ハンドルネックの外部周辺上を動き、ドライブシャフトをロックするために、外側へ広げられた拘束部品と係合する、更なる有利な実施形態に基づく、図１６と類似の歯ブラシによる縦の部分断面図。この場合、図１７による前記の拘束部品は、押し広げられた、非拘束位置にある。
【図１８】拘束部品と係合するラッチフックに追加して、アタッチメントブラシ接続部品にプレッシャピース又はブロックピースが備えられており、これが、押し戻された位置にある拘束部品を、スプリング力に対抗して保持している、更なる有利な実施形態による、図１７と類似の歯ブラシによる縦の部分断面図。
【図１９】拘束部品がドライブシャフトを拘束するために、長手方向にスライドしながら、燕尾形の溝ガイドの中をガイドされており、スプリング装置によって、拘束位置でプリテンションをかけられている、更なる有利な実施形態による、これまでの図と類似の歯ブラシによる縦の部分断面図。
【図２０】拘束部品がドライブシャフトを拘束するために、旋回可能に設けられたカムの形に形成されている、更なる有利な実施形態による、これまでの図と類似の歯ブラシによる縦の部分断面図。
【図２１】アタッチメントブラシと係合するための、歯ブラシハンドルの半径方向にアンダーカットされたラッチ輪郭部を備える、リンクガイドの中でスライド可能な拘束部品の側面図。
【図２２】拘束部品にある凹形の形態及びそれと相互作用する、アタッチメント部品のラッチ輪郭部を示した、拘束部品の前記のラッチ輪郭部分の歯ブラシの横断面図。
【発明を実施するための形態】
【００４１】
図の中に示された歯ブラシ１は、ハンドル２及びアタッチメントブラシ３の形でハンドルと接続されているアタッチメント部品を含んでいる。部分的に示されているハンドル２は、周知の方法でハウジングを有しており、その中に、駆動モータと、例えばバッテリの形で、エネルギー供給装置とが収納され、モータをオン／オフにする操作スイッチが取り付けられている。図１〜３に示された、ハンドル２の前面の端部には、ハンドル２のハウジングがハンドルネック４を形成し、このハンドルネック４は、図に示されている実施形態では（全体的に見て）、前面に突出した、円錐台形の、実質的にはシリンダー形の接続部品の形に形成され、この接続部品は、必要に応じて、自由端の方へわずかに円錐形に先を細くすることができる。前記のハンドルネック４から、回転振動しながら駆動可能なドライブシャフト５が前面に出ている。
【００４２】
アタッチメントブラシ３は、図には詳細に示されていないブラシ部を備える作業ヘッド６を有し、このブラシ部は、図に示された実施形態においては、ブラシの長手方向に向くブラシ部の軸を中心に回転振動しながら駆動することができる。この作業ヘッド６は、歯ブラシのハンドル２のハンドルネック４上に取り付け可能な、全体が管状の接続部品７によってサポートされる。前記の管状の接続部品７は、その内部に、アタッチメントブラシ３がハンドル側のドライブシャフト５とトルク耐性に接続可能な取付けシャフト８を有している。
【００４３】
アタッチメントブラシ３をハンドル２に固定するために、管状の接続部品７の中又はその上に、連結インサート９が、連結スリーブ又は連結リングの形で取り付けられており、連結スリーブは管状の接続部品７の中に、連結リングはその上に、軸方向及び／又は半径方向に固定されて配置されている。前記の連結スリーブ９は、大まかに言うと、全体がシリンダー形又はわずかに円錐形に形成されているため、連結スリーブ９は、軸方向にハンドルネック４の方へスライドさせることができる。それによって、アタッチメントブラシをハンドル２にほとんど隙間なく固定することが可能となる。アタッチメントブラシのもう１つの実施形態では、接続部品７が、連結インサート９と構造的に一体化されて、すなわち一体形成されている。
【００４４】
図２及び３に示されているように、歯ブラシハンドル２のハンドルネック４には、リブ形及び／又はほぼハーフシェル形の拘束部品１３が取り付けられており、この拘束部品１３は、一方で、ドライブシャフト５をブロックするための拘束手段２３を形成し、同時に、ハンドル側連結装置１０の連結部品を形成している。この連結部品は、アタッチメントブラシ側の連結インサート９と係合することができる。この場合、円錐台形のハンドルネック４は、実際のハンドルネック４を形成する、ハンドルハウジングに固定接続された本体と、移動可能に設けられた拘束及び連結部品１３とに二分割されている。この拘束及び連結部品１３は、例えば図４に示されているように、ドライブシャフト５を拘束する初期位置において、実質的にハンドルネック４の輪郭を継続しており、ハンドルネック４とともに、管状の接続部品７をスライドさせることのできる接続円錐台を形成している。
【００４５】
ハンドル側の拘束及び連結部品１３は、そのシンメトリ面がハンドル２の長手方向１２に延び、平行四辺形のロッドガイド１７によって、ハンドルネック４に移動可能に連結されている。図３にもっともよく示されているように、平行四辺形のロッドガイド１７は、２つの旋回可能なロッド１５及び１６を有しており、これらのロッドは互いに平行に配向されており、それらの一方の端部がハンドルネック４に連結され、もう一方の端部が拘束部品１３に連結されている。「両方の」ロッド１５及び１６は、２つのロッドペアでもよく、それぞれドライブシャフト５の左右に配置され、それぞれ共通の旋回軸ペアに連結される。それによって、拘束部品１３は、ロッドに対して横方向の傾斜に対しても安定して支持される。
【００４６】
図４〜９の比較によって示されるように、拘束部品１３は、平行四辺形のロッドガイド１７を介して、ハンドルの前面の端部にあって、ドライブシャフト５をブロックする、いわゆる初期位置を形成する前方終端位置から、ハンドル２の方へ、第２の終端位置に回転又は移動して戻ることができ、この第２の終端位置において、拘束部品１３がアタッチメントブラシをハンドルネックに固定する。平行四辺形のロッドガイド１７は、この場合、前方終端位置から後方終端位置に移行する際、歯ブラシの長手方向に対して横方向に、拘束部品１３を広げるスプレッド機構１４を形成する。そのため、図９に示されている、拘束部品１３の第２の終端位置は、図４に示されている第１の前方終端位置よりも、半径方向の更に外側に位置している。その際、有利であるのは、アタッチメントブラシ３の連結インサート９の直径が、拘束部品１３の拡張動作にぴったりと適合しているため、平行四辺形のロッドガイド１７が奥まで押される際に、僅かな弾性変形が生じること、及び／又は、拘束部品１３がアタッチメントブラシ３をロックする位置の周辺部分において、拘束部品１３にかかる半径方向のわずかな圧力により、ぴったりとした締り嵌めが実施されることである。このことによって、アタッチメントブラシ３は、安定して歯ブラシのハンドル２に保持される。
【００４７】
図４〜９に示されているように、アタッチメント部品側の連結インサート９は、内部面側で外へ向けられたくぼみ２５を、連結インサート９内にある窓の形で有しており、半径方向に突出している、拘束部品１３のラッチ１８が、この窓の中にぴったりと入り込むことができる。前記のラッチ１８は、この場合、ハンドル側の連結装置１０がハンドルネック４上のアタッチメントブラシ３を固定する係合部１１を形成している。
【００４８】
有利であるのは、前記のくぼみ２５の隣に、半径方向へ、内側に突き出している操作突出部２８が連結インサート９に取り付けられており、ハンドルネック４上にアタッチメントブラシ３を取り付ける際、この操作突出部２８が拘束部品３を駆動し、ロック位置に押し込む。このとき、操作突出部２８は、図に示された実施形態では、取付け方向を向いた場合、前記のくぼみ２５の後部に配置されており、操作突出部２８は、挿入方向を向いた場合、くぼみ２５の前にある連結インサート９の部分２９よりも、半径方向に見て更に内部に突出している（図４を参照）。図に示された実施形態においては、操作突出部２８は直接くぼみ２５に接続しているため、アタッチメント部品の長手方向に対して横方向に延びる突合わせ面２０は、操作突出部２８と面一にくぼみのエッジ面に移行する（図４を参照）。
【００４９】
このことによって、以下の機能が生じる。すなわち、アタッチメントブラシ３をハンドルネック４上に取り付ける場合、最初、拘束部品１３は、ドライブシャフト５をブロックする、内部に移動した終端位置にある。くぼみ２５までの差し込み範囲における連結インサート９の内径は、半径方向に見て、拘束部品１３が中に進入し、非ロック位置にある場合のラッチ１８の半径よりも大きい（図４を参照）。
【００５０】
このことによって、図５に示されているように、アタッチメントブラシ３は、ラッチ１８がくぼみ２５の範囲にくるまで、拘束部品１３を介してスライドすることができる。しかしながら、更にアタッチメントブラシ３を差し込むと、同様にハンドルの長手方向１２に対して横方向に延びる、拘束部品１３の前面に設けられた突合わせ面２０が、連結インサート９の操作突出部２８の突合わせ面２６に突きあたる。このことによって、図６〜８で明らかなように、ハンドルネック４を更に差し込むと、拘束部品１３は停止し、平行四辺形のロッドガイド１７によって、所定の動作軌道上で外側へ広げられる。これに対応して、ラッチ１８がくぼみ２５の中に入る。アタッチメントブラシ３が完全に取り付けられると、図８に示された、平行四辺形のロッドガイド１７のロッド１５及び１６の垂直位置が有利にも越されるため、平行四辺形のロッドガイド１７の頂点が圧迫される。完全にロックされた位置では、ロッド１５及び１６が、ハンドル２の方へわずかに戻って傾いている（図９を参照）。
【００５１】
アタッチメントブラシ３を再び引き抜くと、拘束部品１３が反対方向へ、再び、ドライブシャフト５を拘束する位置に戻される。この場合、連結インサート９に設けられているドライブ面２７は、拘束部品１３に設けられているドライブ面２１及びそれとともに拘束部品１３を軸方向に駆動する。図に示された実施形態においては、拘束部品１３のドライブ面２１がラッチ１８の裏面によって形成されており、ハンドルの長手方向１２に対して、実質的に垂直に延びている。連結インサート９には、ドライブ面２７が、くぼみ２５のエッジ面によって形成される。
【００５２】
有利であるのは、拘束部品１３が、この場合、アタッチメントブラシ３を脱着する際に、歯ブラシのモータが不必要に作動するのを自動的に防止する制御装置２２又はその一部を形成していることである。このとき、拘束部品１３は、ドライブシャフト５の外面側の平坦面３１と相互作用する平坦部２４を、内面側に有している。図４と図９との比較で示されるように、拘束位置にある拘束部品１３の平坦部２４は、ドライブシャフト５の平坦部３１上にあるため、ドライブシャフト５は回転することができない。これに対して、拘束部品１３が外側へ移動すると、ドライブシャフト８が解放される（図９を参照）。
【００５３】
前述したドライブシャフト５の拘束は、この場合、ドライブシャフトが拘束されている場合、駆動モータをオフにする旅行時安全装置及び／又はバッテリ保護装置の一部であり得る。前記の制御装置２２は、適切な検知装置を用いて、拘束部品１３がドライブシャフト５を拘束しているかどうかを検知することができる。このために、特に、モータ電流の高さを検知する検知装置３２を装備することができる。つまり、ドライブシャフト５が拘束されている場合、モータ電流は通常レベル以上に上昇するため、所定のモータ電流限界値を超過した場合は、このことがドライブシャフト５の拘束及びそれに伴うアタッチメント部品の引抜きによって生じていると見なすことができる。制御装置２２のスイッチオフ装置３３は、この場合、駆動モータの損傷若しくはバッテリ又は蓄電池の意図しない放電を防止するために、駆動モータをオフにすることができる。
【００５４】
図１０及び１１に示されるように、拘束部品１３を広げるスプレッド機構１４は、これまでに説明した平行四辺形のロッドガイド１７に替えて、リンクガイド３４の形のスライドガイドを有することができる。図１０及び１１の図に示された実施形態では、拘束部品１３が、縦溝形の、階段のように角度をつけられた２つのガイド溝の形でガイドリンク３５を有し、直径がほぼガイド溝の幅に相当する２つのガイドピン３６が溝の中に係合することによって、実質的に隙間なく、拘束部品１３のスライドガイドが行われる。図１０及び１１に示された２つのガイド溝の替わりに、必要に応じて、ガイド溝を１つだけ設けることもできると思われ、拘束部品１３のもう１つのサポートと組み合わせることにより、拡張する際、この拘束部品１３が追加的に旋回運動を行うと考えられる。しかしながら、図１０及び１１に示された、２つのガイドピン３６を備えるリンクガイドが好ましい。
【００５５】
有利であるのは、前記のガイドリンク３５が、ハンドルの長手方向１２に対して様々な大きさに傾いたガイド部分３７、３８及び３９を有することであり、このために、拘束部品１３の上昇又は拡張動作が複数の段階で進行する。この場合、急激に傾く中間のガイド部分３９が設けられており、この部分が傾きの少ないガイド端部分３７及び３８につながっているのが好ましい（図１０を参照）。前記のガイド端部分３７及び３８は、ここで、ハンドルの長手方向１２に対して実質的に平行に配向されているため、前記のガイドピン３６がこのガイド端部分３７及び３８の部分にある場合には、拘束部品１３の上昇運動は行われず、拘束部品１３は、軸方向への力のかからない状態で、それぞれの拡張位置に保持される。必要に応じて、前記のガイド端部３７及び３８は、中間のガイド部分３９の傾きに対して、反対方向に僅かに傾けることもできると考えられるため、終端位置に入る際に、僅かな圧迫が生じる。
【００５６】
中間のガイド部分３９の傾きは、この場合、連結装置１０の状態、すなわち、特に、取付け動作の長さ、ハンドルネックの直径及びドライブシャフト５の平坦面の大きさに合わせられている。この場合、図１０に示された実施形態では、４５°〜８０°の範囲にある傾斜角が有利であると証明された。
【００５７】
スプレッド機構１４の形成は別として、図１０及び１１の実施形態は、実質的に、これまでの図の実施形態に対応しているため、これに関しては、これまでの説明が参照され、対応する構成部品に対しても、同じ番号が適用されている。
【００５８】
また、機能に関しても、図１０及び１１の実施形態は、実質的にこれまでの図の実施形態に対応している。アタッチメントブラシ３がハンドルネック４上に取り付けられる場合、図１１に示されているように、最初、拘束部品１３は、中に進入した、非ロック状態の終端位置にある。くぼみ２５までの差し込み範囲における連結インサート９の内径は、半径方向に見て、拘束部品１３のラッチ１８の半径よりも大きい（図１１を参照）。
【００５９】
このことによって、アタッチメントブラシ３は、ラッチ１８がくぼみ２５の範囲にくるまで、拘束部品１３を介してスライドすることができる。しかしながら、更にアタッチメントブラシ３を差し込むと、ハンドルの長手方向１２に対して横方向に延びる、拘束部品１３の前面に設けられた突合わせ面２０が、連結インサート９の操作突出部２８の突合わせ面２６に突きあたる。アタッチメントブラシ３が更に差し込まれると、このことによって、拘束部品１３は軸方向に駆動され、それにより、拘束部品１３がリンクガイド３４の中で移動する。ここで、傾斜のある中間のガイド部分３９を介して、拘束部品１３が、半径方向に外側へ押されるため、そのラッチ１８がアタッチメントブラシ３の窓形のくぼみ２５の中に入る（図１０を参照）。
【００６０】
図１０及び１１に示されているように、この場合、拘束部品１３を駆動する、アタッチメントブラシ３の操作突出部２８は、スプリングクリップの形に形成されており、完全に取り付けられた位置において、このスプリングクリップがハンドルネック４に係合し、これに関する限り、例えば、ラッチフックなどのロック装置を形成する。特に、ラッチフックは、ハンドルネック４が内部に入る際に、まずそこで、半径方向に弾力がつけられ、ハンドルネックの輪郭上を滑る。終端位置に達すると、ラッチフックは、アンダーカットされた凹部の中に係合し、スプリングの力で戻る。この場合、図に示された実施形態においては、半径方向に突出したラッチ４０が、このラッチフックに取り付けられ、このラッチ４０がハンドルネック４に設けられているラッチ凹部の中に入る（図１０を参照）。これによって、補助的に、アタッチメントブラシ３を、取り付けられた位置に拘束することができる。
【００６１】
アタッチメントブラシ３を再び引き抜くと、拘束部品１３が反対方向へ、再び、その内部にある位置に戻される。この場合、連結インサート９に設けられているドライブ面２７は、拘束部品１３に設けられているドライブ面２１及びそれとともに拘束部品１３を軸方向に駆動する。同時に、ラッチフック２８は、そのラッチ４０の傾斜によって、係合を外される（図１０を参照）。更に引き戻すと、拘束部品１３は、アタッチメントブラシ３の内部輪郭が拘束部品１３のラッチ１８から引き離されるまで、リンクガイド３４の中で半径方向の内側へ移動する（図１１を参照）。このとき、同時に拘束部品１３の内側にある平坦面２４は、ドライブシャフト５の平坦面３１の上にくるため、ドライブシャフト５がブロックされる。
【００６２】
有利であるのは、歯ブラシハンドル及びアタッチメント部品の合わせ面に、汚れキャッチ穴４１が設けられていることである。ちり粒子、汚れの微粒子などが、この穴の中に、いわば逃げ去ることができるため、それらが連結プロセスを妨げることはない。特に、汚れキャッチ穴４２として縦溝形の細長い穴４２を、拘束部品１３の外部面及び／又はハンドルネック４の外部面に設けることができる（図１０及び１１）。
【００６３】
図１２及び１３は、図１０及び１１と類似の実施形態を示し、それによれば、拘束部品１３は、同様にスライディングブロックとして形成されている。図１２に示されるように、拘束部品１３は、この場合も同様に、前記の拘束部品１３の軸方向の動きを横方向の動きに転換するリンクガイド３４の中でガイドされている。ここで、拘束部品１３の中には、先に説明した実施形態と同様に、段付きの縦溝の形に形成されているガイドリンク３５が設けられており、このガイドリンク３５は、歯ブラシの長軸に対して様々な傾きをもつ、異なるガイド部分３７、３８及び３９を有している。しかし、図１０及び１１による実施形態に対して、前記のガイドリンク３５を備える拘束部品１３は、１つのガイドピン３６にのみガイドされている。
【００６４】
更に、前記の拘束部品１３が傾くのを防止するため、前記の拘束部品１３は、アタッチメント部品３の方に向けられた突合わせ面２６を有し、この面は、アタッチメントブラシ３のプレッシャピース４６の突合わせ面２０と相互作用する。図１２及び１３に示されるように、アタッチメントブラシ３の接続部品７の内部には、突出しているプレッシャピース４６が設けられ、アタッチメントブラシ３がハンドルネック４上に取り付けられる際に、このプッシャピース４６が、前記のハンドルネック４の中に入る。ハンドル２の方に向けられた突合わせ面２６は、このとき、拘束部品１３の突合わせ面２０に接触する。アタッチメントブラシ３を更に差し込むと、前記のプレッシャピース４６が、前記の拘束部品１３を押し戻し、図１３に示されているように、拘束部品１３は、リンクガイド３４を介してドライブシャフト５から離れて、外側へ押される。
【００６５】
この場合、前記の拘束部品１３は、プレッシャスプリングの形のスプリング装置４７によって圧力が加えられ、このプレッシャスプリングは、ドライブシャフト３の拘束位置にある拘束部品１３にプリテンションをかけ、戻る場合には、アタッチメントブラシ３のプレッシャピース４６によって、前記の突合わせ面ペア２０及び２６がしっかりと重なり合うようにする。これによって、前記の拘束部品１３は、ガイドピン３６が１つのみであっても、適切に調整される。
【００６６】
図１２及び１３の比較から示されるように、これによって、拘束部品１３は、アタッチメントブラシ３の取付け時には、リンクガイド３４によってドライブシャフト５から離されるため、ドライブシャフト５が解放される。アタッチメントブラシ３が再び引き抜かれる場合、前記のスプリング装置４７は、拘束部品１３を、図１２に示されている、ドライブシャフト５がブロックされている拘束初期位置に強制的に戻す。
【００６７】
図１４及び１５に示されている実施形態は、基本的に図１０及び１１による実施形態と対応しているため、同じ構成部品には同一の番号が付され、その限りにおいては、これまでの説明が適用される。図１４及び１５による実施形態の場合も、リンクガイド３４の中でガイドされる拘束部品１３は、アタッチメントブラシ３のラッチエレメント４３によって操作され、これはラッチフック４４として形成されている。このラッチエレメント４３は、アタッチメントブラシ３の接続部品７の内部において、ハンドル２の方へ突出しており、アタッチメントブラシ３がハンドルネック４上に取り付けられる際に、ラッチエレメント４３の前面が前記の拘束部品１３に向かって移動するように、位置及び形状が合わせられている。この場合、前記のラッチエレメント４３は、その前面に、拘束部品１３の突合わせ面２０に向かって移動する突合わせ面２６が設けられている。図１０及び１１と組み合わせて説明する場合、これによって、拘束部品１３は、アタッチメントブラシ３が取り付けられる際、リンクガイド３４内を戻り、外側へスライドするため、一方で、ドライブシャフト５は自由になり、他方で、拘束部品１３は、半径方向へ、外側に突出している係合部１１が接続部品７の窓形のくぼみ２５の中に入ることによって、ハンドルネック４上のアタッチメントブラシ３をロックする（図１５を参照）。
【００６８】
この場合、更に、アタッチメントブラシ３は、ラッチエレメント４３によって、ハンドルネック４にロックされる。図１５に示されるように、半径方向に動くスプリングクリップの形に形成されている前記のラッチエレメント４３は、ハンドルネック４の内部に移動し、その際、まず、ラッチエレメント４３の突出しているラッチ４０が、内面側に配置されている、ハンドルネック４の輪郭上をスライドする。アタッチメントブラシ３が完全に取付け位置に達すると、前記のラッチエレメント４３は、ハンドルネック４の前記のラッチ輪郭４８の凹部ではずみ、それによってアタッチメントブラシ３はハンドルネック４にロックされる。図１５に示されているように、ラッチ４０及びラッチ輪郭４８にかみ合っているラッチ面は、実質的に、取付け方向に対して垂直に合わせられているため、強固な係合が保証される。
【００６９】
更に、アタッチメントブラシ３をハンドル２から取り外すことができるようにするため、前記のラッチエレメント４３及び／又は拘束部品１３に、少なくとも１つの傾斜面４９又は５０が設けられているため、引き抜く際、ラッチエレメントに対して圧力をかけている拘束部品１３は、ラッチフック４４をハンドル側のラッチ輪郭４８から係合を外す、くさび効果を発揮する。このとき、前記の拘束部品１３は、アタッチメントブラシ３がハンドル２から引き抜かれる際に、ドライブ面２１及びそれと対応する、くぼみ２５に設けられているドライブ面２７によって駆動される。
【００７０】
前記の拘束部品１３には、この場合、図１５では詳しく示されていないスプリング装置により、先に説明した方法で、ドライブシャフト５を拘束する位置へ、プリテンションをかけることができる。アタッチメントブラシ３がハンドル２にかみ合っていることによって、スプリング装置のプリテンションは相殺されるため、このプリテンションは、ハンドル２からアタッチメントブラシ３が不必要に滑り落ちる原因にはならない。
【００７１】
図１６に示されている実施形態では、類似の方法で、アタッチメントブラシ３とハンドグリッブ部２との間の係合が設けられている。この実施形態が、図１４及び１５による、先に説明した実施形態と一致している限りにおいては、それらの説明が適用され、その場合、同じ構成部品には同一の番号が付されている。図１４及び１５による実施形態とは異なり、図１６による歯ブラシでは、ラッチエレメント４３が、外部周辺からハンドルネック４と係合するために、ラッチフック４４を有するように設定されている。この場合、ラッチフック４４は、半径方向に動くスプリングクリップの形に形成されており、このスプリングクリップが、接続部品７の内部に延び、実質的に連続する形でこれを継続している。その際、ラッチエレメント４３は、接続部品７の長軸に対して、実質的に平行に延びている。
【００７２】
特に、前記のラッチフック４４は、接続部品７の内部にある連結インサート９に設けることができる。
【００７３】
アタッチメントブラシ３を取り付ける際、前記のラッチフック４４は、まず、ハンドルネック４の外部輪郭上をスライドする。この場合、ラッチ４０があるために、前記のラッチフック４４は柔軟に外側へ広がる。完全に取付け位置に達すると、前記のラッチフック４４は、くぼみ又は凹部の形に形成されている、ハンドルネック４のアンダーカットされたラッチ輪郭４８に係合する。
【００７４】
アタッチメントブラシ３を引き抜く場合に、係合を外すことができるようにするため、ラッチ４０及び／又はハンドル側のラッチ輪郭４８は、適切な方法で、例えば、球形キャップの突出部及びそれに適合する平なべの形に輪郭形成することができる。代替又は追加の方法では、先に説明した実施形態と類似して、アタッチメントブラシ３を引き抜く際に、くさび作用を発揮する傾斜面ペア４９及び５０をラッチフック４０及び拘束部品１３に設けることができ、この作用は、一方で、拘束部品１３を半径方向に内側へ押し、他方で、ラッチフック４４を半径方向に外側へ押す。
【００７５】
図１７は、リンクガイド３４の中でガイドされる拘束部品１３を備えた歯ブラシ１の更なる実施形態を示しており、ここでも、ラッチエレメント４３は、アタッチメントブラシ３が歯ブラシ１のハンドル２に係合するためのラッチフック４４の形で用意されている。図１６による実施形態と類似して、ラッチフック４４は、ここでも、接続部品７の内部に設けられており、この場合、ラッチフック４４は、アタッチメントブラシ３の長軸に対して、実質的に平行に延びている。しかし、ここでは、図１６による実施形態とは異なり、拘束部品１３が外側へ広がり、ドライブシャフト５を拘束していない位置にある場合、前記のラッチフック４４が、ハンドルネック４自体とではなく、拘束部品１３とロックする（図１７を参照）。先に説明した方法において、拘束部品１３は、同時に、アタッチメントブラシ３をハンドルネック４に保持する連結部品として働き、その際、前記の拘束部品１３の、半径方向に外側へ突き出した係合部１１が、アタッチメントブラシ３の接続部品７にあるくぼみ２５の中に入る。前記のくぼみ２５の部分には、このとき、拘束部品１３のアンダーカットされたラッチ輪郭４８と係合する前記のラッチフック４４が延びている。
【００７６】
アタッチメントブラシ３をハンドルネック４上に取り付ける際、一方では、先に説明した方法において、拘束部品１３は、リンクガイド３４によって半径方向に外側へ移動する。この場合、拘束部品１３がアタッチメントブラシ側のくぼみ２５の中に入ると、まず、前記のラッチフック４４は、半径方向の外側にある、拘束部品１３の背面上を滑る。アタッチメントブラシ３が、完全に取り付けられた位置に達すると、ラッチフック４４は、半径方向に内側へ跳ね返るため、ラッチ４０は、これと相互作用する、拘束部品１３のラッチ輪郭４８の中に入り込む。ラッチフック４４の前記の係合は、アタッチメントブラシ３を再び引き抜く際、確実に拘束部品１３が再び戻されるようにする。したがって、ラッチ４０とラッチ輪郭４８のラッチ面ペアは、アタッチメントブラシ３を再び引き抜く際に拘束部品１３を駆動する、先に説明したドライブ面２１又は２７を形成することができる。その他の点では、図１７による実施形態は、これまでの図の実施形態に対応しているため、その限りにおいて、それらの説明が適応され、同一の番号が付けられている。
【００７７】
図１８に示されるように、この場合、先に説明したスプリング装置によって加えられる拘束部品１３のプリテンションを無効にするために、拘束部品１３の前面に接しているプレッシャピース４６をアタッチメントブラシ３の接続部品７の内部に設けることもできる（図１８を参照）。この場合、アタッチメントブラシ３が完全に取り付けられた位置において、前記の拘束部品１３は、同様に、図１７で示されているように、接続部品７又は連結部品９の内部に設けられているラッチフック４４と係合する。
【００７８】
図１９は、ドライブシャフト５を拘束又はブロックするための拘束部品１３の更なる実施形態を示している。先に説明した実施形態に類似して、ここでも、軸方向に動く拘束部品１３がハンドルネック４に取り付けられており、この拘束部品１３は、拘束部品１３の軸方向の動きが同時に半径方向の横方向の動きを生じるように、スライドガイドの中で移動可能に設けられている。図１９に示されるように、この場合、拘束部品１３は、図に示された実施形態で燕尾形の溝ガイドとして形成されている溝ガイドの中で移動可能にガイドされている。リンクに類似したガイド溝が、ここでは、ハンドルネックに形成されており、このとき、拘束部品１３は、該当する燕尾形溝の中で、互いに対向している面上を移動できることが有利である。ガイド溝は、この場合、図１９に示されているように、ハンドル２の長手方向に対して鋭角に傾けられているため、グリップ部分に向かって拘束部品１３が押し戻されると、拘束部品１３がドライブシャフト５から離される。図１９に示された拘束位置において、前記の拘束部品１３は、先に説明された方法で、ドライブシャフト５の平坦部に接触して、これをブロックする。
【００７９】
このとき、拘束部品１３は、プレッシャスプリングの形のスプリング装置４７を用いて、軸方向に拘束位置の中へプリテンションがかけられている。アタッチメントブラシ３を取り付ける際、ドライブシャフト５のロックを外すため、アタッチメントブラシ３の接続部品７には、前面に突き出ている、突合わせ面２６を備えたタペットが設けられており、このタペットは、拘束部品１３を押し戻すために、同様に前面に配置されている、拘束部品１３の突合わせ面２０に向かって移動する（図１９を参照）。
【００８０】
図２０は、拘束部品１３の代替となる実施形態を示している。これによれば、拘束部品１３は、旋回可能に設けられたカムの形に形成することができる。この場合、図２０に示された実施形態では、拘束部品１３が、ハンドルネック４の壁付近で、横軸５１を中心に旋回可能に設けられるため、カム形の拘束部品１３は、ドライブシャフト５とかみ合っている拘束位置と、前記のドライブシャフト５とかみ合っていない非拘束位置との間で往復運動することができる。
【００８１】
この場合、拘束部品１３とそのピボット軸受は、拘束部品１３の、ドライブシャフト５をブロックしている係合部分が、拘束位置において、ドライブシャフト５に対してほぼ垂直になるように形成及び配置されている。すなわち、拘束部品１３の旋回軸及びドライブシャフト５の係合点による想像線は、ドライブシャフト５の長軸に対してほぼ垂直になっている（図２０を参照）。このとき、拘束部品１３は、プレッシャスプリングとして形成することのできるスプリング装置４７を用いて、前記の拘束位置の中へプリテンションをかけられている。
【００８２】
この場合、先に説明した実施形態に類似して、拘束部品１３は、自動的に非拘束位置に動かされる。このために、取り付けられる際、アタッチメントブラシ３の接続部品７には、カム形の拘束部品１３を押す、突合わせ面２６を備えるタペットが設けられている（図２０を参照）。これによって、拘束部品１３が戻されて、ドライブシャフト５から離され、すなわち、スプリング装置３９が変形する。
【００８３】
アタッチメントブラシ３が再び引き抜かると、前記のスプリング装置３９は、拘束部品１３を、拘束位置に押し戻す。
【００８４】
もちろん、図２０による実施形態の場合も、追加的に、アタッチメントブラシ３とハンドル２との間に、先に説明した方法で、係合を設けることができる。
【００８５】
図２１及び２２は、拘束部品１３とアタッチメントブラシ３との間のロック方法の更なる形態を示している。図２１には、実質的に図１０及び１１の実施形態に対応し、リンクガイド３４によって、すでに説明した方法で動くことのできる拘束部品１３が示されている。この場合、先に説明したアタッチメントブラシ３の窓形のくぼみ２５内に入ることのできる、拘束部品１３の係合部１１には、ハンドルネックにアタッチメントブラシ３をロックするため、ラッチ輪郭５３が設けられており、このラッチ輪郭５３は、歯ブラシの長軸に関して半径方向にアンダーカットされて形成されている。具体的に、図に示された実施形態においては、拘束部品１３の対向する側面に配置された２つのラッチ凹部が設けられ、これは槽状の凹部のように形成されている。
【００８６】
対向する側面に設けられているこのラッチ輪郭によって、拘束部品１３がドライブシャフト５を解放する位置に戻る際に、拘束部品１３をアタッチメントブラシ３にロックすることができる。このために、アタッチメントブラシ３は、前記の窓形のくぼみ２５の部分に、互いに対向する、同様に半径方向にアンダーカットされたラッチ輪郭を、ラッチ凸部５４の形で有している（図２２を参照）。前記のラッチ輪郭５４は、この場合、弾力があるように形成されているため、これらは、拘束部品１３が前記のラッチ凸部５４の間に入り込む際、互いに開くことができる。これによって、前記のラッチ凸部５４は、拘束部品１３に設けられている凹部５３の中に入ることができるまで、拘束部品１３のフランジを介してスライドすることができる。
【００８７】
ラッチ輪郭５３及び５４によるこの係合によって、アタッチメントブラシは、ハンドルネック４に確実に保持される。更に、拘束部品１３の係合が、拘束部品１３をいわゆる初期位置に保持するので、拘束部品１３のスプリングプリテンションも無効にすることができる。
【００８８】
代替又は追加の方法として、前記の拘束部品１３の係合を、ハンドルネック４でも行うことができる。この場合は、図２２に示されている、互いに対向するラッチ凸部５４は、アタッチメントブラシ３の接続部品７ではなく、ハンドルネック４に設けられている。この実施形態の場合も拘束部品１３は、ドライブシャフト５を解放する、外へ移動した位置にかみ合わされるため、スプリングのプリテンションを無効にすることができる。とはいえ、拘束部品１３の係合部１１は、この場合、いわば、ハンドルネック４の窓からも、アタッチメントブラシ３の窓からも入り込むことができるか、又は突き出ることができるため、必要に応じて、アタッチメントブラシ３を、同様にハンドルネック４にロックすることができる。
【図１】
2010531177.tif 000003
【図２】
2010531177.tif 000004
【図３】
2010531177.tif 000005
【図４】
2010531177.tif 000006
【図５】
2010531177.tif 000007
【図６】
2010531177.tif 000008
【図７】
2010531177.tif 000009
【図８】
2010531177.tif 000010
【図９】
2010531177.tif 000011
【図１０】
2010531177.tif 000012
【図１１】
2010531177.tif 000013
【図１２】
2010531177.tif 000014
【図１３】
2010531177.tif 000015
【図１４】
2010531177.tif 000016
【図１５】
2010531177.tif 000017
【図１６】
2010531177.tif 000018
【図１７】
2010531177.tif 000019
【図１８】
2010531177.tif 000020
【図１９】
2010531177.tif 000021
【図２０】
2010531177.tif 000022
【図２１】
2010531177.tif 000023
【図２２】
2010531177.tif 000024
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
アタッチメントブラシ（３）などのアタッチメント部品を連結するための連結装置（１０）と、アタッチメント部品を駆動するための、駆動モータによって駆動可能な駆動系部品（５）と、を有する、電動歯ブラシ（１）の歯ブラシハンドルであって、前記駆動系部品（５）を拘束、ブロック及び／又は制動するための、解除可能な拘束手段が設けられ、前記駆動モータが不必要にオンになった場合でも、前記駆動系の作動は起こり得ないことを特徴とする、歯ブラシハンドル。
【請求項２】
前記拘束手段の係合位置に応じて、及び／又は、前記駆動系部品（５）の拘束時に、前記駆動モータをオフにするための電子式スイッチオフ装置（３３）が設けられている、請求項１に記載の歯ブラシハンドル。
【請求項３】
前記スイッチオフ装置（３３）が、モータ電流を検知する検知手段（３２）と、規定のモータ電流を超過した場合に、前記駆動モータをオフにするスイッチオフ手段と、を有する、請求項２に記載の歯ブラシハンドル。
【請求項４】
前記拘束手段（２３）が、拘束される前記駆動系部品（５）と係合するための拘束部（５２）を備えた、移動可能に設けられた拘束部品（１３）を有する、請求項１〜３のいずれか一項に記載の歯ブラシハンドル。
【請求項５】
前記拘束部品（１３）が、前記駆動系部品（５）と係合することができ、前記駆動系部品（５）に形状の適合している係合面を有する、請求項４に記載の歯ブラシハンドル。
【請求項６】
前記拘束部品（１３）が、ハンドルの長手方向に、軸方向へ移動可能である、請求項４又は５に記載の歯ブラシハンドル。
【請求項７】
前記拘束部品（１３）の軸方向の動きが、前記ハンドルの長手方向（１２）に対して横方向に、前記係合部（５２）の横方向の動きを生じるように、前記拘束部品が設けられ及び／又は形成されている、請求項６に記載の歯ブラシハンドル。
【請求項８】
前記ハンドルネック（４）と前記係合部（５２）との間に、スプレッド機構（１４）が設けられおり、該スプレッド機構によって、前記拘束部品（１３）が軸方向に動く場合に、前記係合部（５２）が、前記ハンドルの長手方向（１２）に対して横方向へ、前記駆動系部品（５）に向かって内側に広がることができる、請求項７に記載の歯ブラシハンドル。
【請求項９】
前記拘束部品（１３）に、拘束位置へプリテンションをかけるためのプリテンション装置、好ましくはスプリング装置が組み込まれている、請求項１〜８のいずれか一項に記載の歯ブラシハンドル。
【請求項１０】
前記拘束部品（１３）が、前記ハンドルネック（４）上に前記アタッチメント部品を取り付ける際、該アタッチメント部品上の指定された対応物を捕捉するため、及び前記拘束部品（１３）を解除位置へ軸方向にスライドさせるため、形状及び位置が該アタッチメント部品上の該対応物に適合している捕捉部分（１９）を有する、請求項１〜９のいずれか一項に記載の歯ブラシハンドル。
【請求項１１】
前記拘束手段（２３）が、前記歯ブラシハンドルの前記ハンドルネック（４）に前記アタッチメント部品（３）を形状によってロックするための連結装置（１０）を形成し、前記駆動系部品（５）からの解除位置において、前記アタッチメント部品（３）を形状によって前記ハンドルネック（４）にロックする、請求項１〜１０のいずれか一項に記載の歯ブラシハンドル。
【請求項１２】
作業ヘッド（６）と、前記歯ブラシハンドルの前記ハンドルネック（４）上に取り付け可能であり、前記作業ヘッド（６）に接続されるのに適した管状の接続部品（７）と、を備えた、請求項１〜１１のいずれか一項に記載の歯ブラシハンドル用アタッチメント部品、特にアタッチメントブラシであって、前記接続部品（７）が、該接続部品（７）を前記ハンドルネック（４）上に取り付ける際、ハンドル側の前記拘束部品（１３）を軸方向に押し戻すのに適する突き合わせ面（２６）を有することを特徴とする、アタッチメント部品。
【請求項１３】
前記ハンドルネック（４）から前記接続部品（７）を取り外す際、ハンドル側の前記拘束部品（１３）を軸方向に駆動するのに適するドライブ面（２７）が設けられている、請求項１２に記載のアタッチメント部品。
【請求項１４】
前記突合わせ面（２６）及び前記ドライブ面（２７）が、内部面に配置されて外側に向けられている前記くぼみ（２５）の互いに対向するエッジに設けられている、請求項１３に記載のアタッチメント部品。
【請求項１５】
請求項１〜１１のいずれか一項に記載の歯ブラシハンドルと、請求項１２〜１４のいずれか一項に記載のアタッチメント部品と、を備えた歯ブラシ。
【国際調査報告】
2010531177.tif 000025
2010531177.tif 000026
2010531177.tif 000027
2010531177.tif 000028